(57)【要約】【課題】グリーンの傾斜状態を簡単に正確に知ることを可能にする手段を提供する。【解決手段】ゴルフ用パタークラブＣ１のクラブヘッド１に、気泡式水準器３がクラブヘッド底面１ｂの水平状態で水平基準を表示するように取り付ける。【選択図】図１
2008173377.tif 000002
【特許請求の範囲】
【請求項１】
クラブヘッドに、気泡式水準器がクラブヘッド底面の水平状態で水平基準を表示するように取り付けられてなるゴルフ用パタークラブ。
【請求項２】
クラブヘッドに対して気泡式水準器が着脱自在である請求項１に記載のゴルフ用パタークラブ。
【請求項３】
クラブヘッドに水準器嵌装部が形成され、この水準器嵌装部に嵌装した気泡式水準器を押接固定する押接固定手段を具備してなる請求項２に記載のゴルフ用パタークラブ。
【請求項４】
押接固定手段がばねの弾発力を利用するものである請求項３に記載のゴルフ用パタークラブ。
【請求項５】
クラブヘッドの水準器嵌装部の一端側に係止部を有すると共に、前記押接固定手段が気泡式水準器を当該係止部側へ押圧するように構成されてなる請求項３又は４に記載のゴルフ用パタークラブ。
【発明の詳細な説明】
【技術分野】
【０００１】
本発明は、ゴルフ競技に使用するパタークラブに関する。
【背景技術】
【０００２】
ゴルフ競技では、各ホールの最終部でグリーン上に載ったボールをカップ孔に入れる際、グリーン専用のパタークラブを使用するが、カップ孔を狙ってパットの方向や強さをコントロールする上で、グリーンの傾斜状態を判断することが極めて重要となる。しかるに、グリーンの傾斜状態を読むことは、ゴルフ競技における大きな技術要素であるが、専ら目測と勘に頼るだけであるため、一般の競技者にとっては非常に難しく、ゴルフの上達を阻む要因にもなっていた。
【発明の開示】
【発明が解決しようとする課題】
【０００３】
本発明は、上述の情況に鑑み、従来では目測と勘に頼るしかなかったグリーンの傾斜状態を簡単に且つ正確に知ることを可能にする手段を提供することを目的としている。
【課題を解決するための手段】
【０００４】
上記目的を達成するための手段を添付図面の参照番号を付して示すと、請求項１の発明は、クラブヘッド１に、気泡式水準器３がクラブヘッド底面１ｂの水平状態で水平基準を表示するように取り付けられてなるゴルフ用パタークラブにある。
【０００５】
請求項２の発明は、上記請求項１のゴルフ用パタークラブにおいて、クラブヘッド１に対して気泡式水準器３が着脱自在である構成としている。
【０００６】
請求項３の発明は、上記請求項２のゴルフ用パタークラブにおいて、クラブヘッド１に水準器嵌装部１１が形成され、この水準器嵌装部に嵌装した気泡式水準器３を押接固定する押接固定手段（圧縮コイルスプリング４、突子５、ロックボルト７）を具備してなる構成としている。
【０００７】
請求項４の発明は、上記請求項３のゴルフ用パタークラブにおいて、押接固定手段がばね（圧縮コイルスプリング４）の弾発力を利用するものである構成としている。
【０００８】
請求項５の発明は、上記請求項３又は４のゴルフ用パタークラブにおいて、クラブヘッド１の水準器嵌装部１１の一端側に係止部１２を有すると共に、前記押接固定手段が気泡式水準器３を当該係止部１２側へ押圧するように構成されてなるものとしている。
【発明の効果】
【０００９】
上記解決手段による発明の効果を添付図面の参照符号を付して説明すると、請求項１の発明に係るゴルフ用パタークラブによれば、そのクラブヘッド１の底面１ｂをゴルフコースのグリーンに接地させた際、該クラブヘッド１に取り付けられた気泡式水準器３の気泡Ｂが接地面の傾斜に応じて変位するから、その変位状況によって該接地面の傾斜度合及び傾斜方向を容易に且つ正確に読み取ることができる。
【００１０】
請求項２の発明によれば、上記のクラブヘッド１に対して気泡式水準器３が着脱自在であるから、打球操作に際して該水準器３を取り外しておくことにより、該水準器３の脱落紛失や破損を防止できると共に、競技規則等によって水準器３の装着及び使用が許可されない場合でも、パタークラブ自体は該水準器３を取り外した状態で使用できる。
【００１１】
請求項３の発明によれば、クラブヘッド１の水準器嵌装部１１に気泡式水準器３を嵌装して押接固定手段（圧縮コイルスプリング４、突子５、ロックボルト７）で固定できるから、該水準器の着脱操作を容易に行える。
【００１２】
請求項４の発明によれば、上記の押接固定手段がばね（圧縮コイルスプリング４）の弾発力を利用するものであるから、気泡式水準器３の着脱操作が極めて容易になると共に、該押接固定手段の構成も簡素になる。
【００１３】
請求項５の発明によれば、クラブヘッド１の水準器嵌装部１１に嵌装される気泡式水準器３は、前記押接固定手段によって該水準器嵌装部１１の係止部１２側へを押圧されることから、クラブヘッド１に対する取付状態が安定し、パタークラブの取り扱い中に不用意に脱落したり、取付姿勢の変化で水平基準が狂ったりする懸念がないため、確実に且つ正確にグリーンの傾斜状態を計測できる。
【発明を実施するための最良の形態】
【００１４】
以下、本発明に係るゴルフ用パタークラブの実施形態について、図面を参照して具体的に説明する。なお、図１〜図４は第一実施形態、図５は第二実施形態、図６及び図７は第三実施形態を示す。
【００１５】
図１に示すように、第一実施形態のゴルフ用パタークラブＣ１は、上端にグリップ（図示省略）を有するシャフト２の下端にクラブヘッド１が固着されており、該クラブヘッド１の打面１ａを前として背面側に、上方及び後方に開いた凹段部状の水準器嵌装部１１が形成され、この水準器嵌装部１１に気泡式水準器３が嵌着されている。
【００１６】
図２及び図３に示すように、クラブヘッド１の水準器嵌装部１１は、その底面部１１ａが当該クラブヘッド１の平坦な底面１ｂと平行な平坦面をなし、シャフト２に連結するヘッド基部１０側の側面より丸軸状の突子５が突出すると共に、ヘッド先端側の側面に浅く凹陥した係止部１２が形成されている。また、ヘッド基部１０には圧縮コイルスプリング４を装填したばね装填孔１３が形成されており、前記突子５が、その内端フランジ部５ａを該ばね装填孔１３内に配置した状態で、その内端に押接する圧縮コイルスプリング４の蓄力により、外端側を当該ばね装填孔１３と同心で径小の突子挿通孔１４から水準器嵌装部１１内へ突出する方向に付勢されている。６はボルト状栓体であり、ばね装填孔１３の突子挿通孔１４側とは半体側のねじ孔部１３ａに螺着されている。
【００１７】
気泡式水準器３は、略円筒状の短管３０内にアルコールやエーテル等の流動性の高い液体と気泡Ｂを封入したものであり、両端近傍に気泡Ｂの変位の目安とする目盛り３１…が表示されている。しかして、短管３０は略円筒状であるが、設置面に水平基準を合わせ易くするために、周面一部を平面３ａとし、この平面３ａに対して径方向反対側の周面部が短管長手方向の中央部を最高位とする大円弧の一部をなすように設定している。従って、この気泡式水準器３を平面３ａ側を下にして水平面上に置いたとき、気泡Ｂが最高位となる長手方向中央部の上側に配置することになる。
【００１８】
クラブヘッド１に気泡式水準器３を取り付けるには、水準器嵌装部１１に突出している突子５を圧縮コイルスプリング４の付勢に抗して退入させ、この状態で該水準器３を水準器嵌装部１１を嵌め込むが、このときに当該水準器３の一端側を係止部１２に嵌入させる。これにより、手放した状態での該水準器３は、図４に示すように、他端側から突子５に押接されて係止部１２への嵌合を強める方向に付勢されるから、水準器嵌装部１１から離脱不能に安定に保持されると共に、下側にした平面３ａが水準器嵌装部１１の底面部１１ａに密接し、もって水平基準がクラブヘッド１の底面１ｂに沿う配置になる。
【００１９】
かくして気泡式水準器３を取り付けたパタークラブ１Ｃは、そのクラブヘッド１の底面１ａを接地して静止させれば、その接地面の傾斜に応じて気泡式水準器３の気泡Ｂが変位するから、その変位方向と変位度合に基づいて接地面の傾斜方向及び傾斜度合を簡単に読み取ることができる。なお、傾斜方向については、気泡式水準器３の長手方向の向きが変わるようにクラブヘッド１を接地状態で旋回させながら傾斜度合を計測し、その傾斜度合が最大になる方向を調べればよい。
【００２０】
従って、ゴルフの競技や練習において、パタークラブでグリーン上に載ったボールをカップ孔を狙って打つ（パッティング）際、この気泡式水準器３を取り付けたパタークラブ１Ｃを利用し、前もってボール位置の周辺やボール位置からカップ孔付近までのグリーンの傾斜方向及び傾斜度合を知り、その知見に基づいて適切なパッティングを行うことができる。また、このような気泡式水準器３を利用した傾斜状況の把握を繰り返す内に、目測によるグリーンの傾斜状況の判断力が次第に身に付き、傾斜状況に応じたパッティング操作の習得も進むから、ゴルフの上達が格段に速くなる。
【００２１】
この第一実施形態のゴルフ用パタークラブＣ１では、クラブヘッド１に対して気泡式水準器３が着脱自在であるから、打球操作に際して該水準器３を取り外しておくことにより、該水準器３の脱落紛失や破損を防止できる。また、競技規則等によって水準器３の装着及び使用が許可されない場合でも、パタークラブＣ１自体は該水準器３を取り外した状態で使用できることになる。しかも、該水準器３は、クラブヘッド１の水準器嵌装部１１にばね力で固定できるようになっているから、その着脱操作を非常に容易に行える上、当該水準器３が装着状態で水準器嵌装部１１の係止部１２側へ押圧されるため、クラブヘッド１に対する取付状態が安定したものとなり、グリーンの傾斜状態を計測するための取り扱い中に不用意に脱落したり、取付姿勢の変化で水平基準が狂ったりする懸念がなく、確実に且つ正確にグリーンの傾斜状態を計測できる。
【００２２】
なお、上記第一実施形態ではクラブヘッド１に対する水準器３の押接固定手段として圧縮コイルスプリング４と突子５を用いているが、突子５に代えて球体を用いたり、バネ材として種々の形状の板ばねを用いることも可能である。しかして、板ばねの場合、その湾曲部や屈曲部を水準器嵌装部１１に突出させ、その突出部分で直接に水準器３を押接する構成としてもよい。更に、押接固定手段としては、ばね力を利用するものに限らず、ねじを利用した押接方式も採用可能である。
【００２３】
図５に示す第二実施形態のゴルフ用パタークラブＣ２は、クラブヘッド１の水準器嵌装部１１に嵌装する気泡式水準器３の押接固定手段として、前記第一実施形態のゴルフ用パタークラブＣ１における圧縮コイルスプリング４と突子５に代えて、ロックボルト７を用いる構成としている。すなわち、このパタークラブＣ２では、クラブヘッド１の水準器嵌装部１１に、前記第一実施形態と同様の気泡式水準器３を図示仮想線の如く一端側が係止部に嵌合するように嵌め込むが、当該クラブヘッド１のヘッド基部１０に外側から螺入したロックボルト７の先端を該水準器３の他端側に押接することにより、当該水準器３が一端側を係止部１２に嵌合した状態で軸方向変位不能に固定される。
【００２４】
この第二実施形態のゴルフ用パタークラブＣ２では、気泡式水準器３の着脱に際してロックボルト７を捻回操作する必要はあるが、当該水準器３を水準器嵌装部１１から完全に離脱不能に固定できるという利点がある。
【００２５】
なお、上記の第一及び第二実施形態ではクラブヘッド１に対して気泡式水準器３を直接に取り付けているが、該水準器３を合成樹脂や金属からなる適当な保持枠に保持させ、その保持枠と一体にクラブヘッド１に取り付けるようにしてもよい。また、このような保持枠を用いる場合に、当該水準器３の押接固定手段とするばね材やロックボルト等を保持枠側に設ける構成としてもよい。
【００２６】
図６及び図７に示す第三実施形態のゴルフ用パタークラブＣ３は、クラブヘッド１が打面１ａを前として後方へ張出する略三角板状の張出部１５を有しており、この張出部１５上に水準器保持枠８を該張出部１５上に取り付けるようになっている。この水準器保持枠８は、略二等辺三角形の厚板状の合成樹脂成形物からなり、２本の短管状の気泡式水準器３，３を管軸方向が互いに９０度異なる配置として半埋入状態で保持すると共に、上下に透通する一対のねじ挿通孔８１，８１を有しており、上方から各ねじ挿通孔８１を通して取付ビス９をクラブヘッド１の張出部１５に設けたねじ孔１６に螺入することにより、該張出部１５に図７の如くねじ止めされる。なお、取付ビス９は、コイン等で簡単に捻回操作できるように、ビス頭部に広幅の−溝９ａを設けている。
【００２７】
このパタークラブＣ３におけるクラブヘッド１の底面１ａは張出部１５を含む全体が平坦で、該底面１ａと張出部１５の上面１ｃが平行になっている。そして、この張出部１５上に取り付けた水準器保持枠８の両気泡式水準器３，３は、クラブヘッド１の底面１ａが水平状態にあるとき、共に気泡Ｂが長手方向中央の最高位に配位して水平基準を表示する。従って、このパタークラブＣ３によれば、クラブヘッド１をグリーンに接地することにより、両水準器３，３を利用して直交する２方向の傾斜度合を同時に計測することができる。また、水準器保持枠８はビス止めであるため、不要時にはクラブヘッド１から簡単に取り外すことができる。
【００２８】
本発明に係るゴルフ用パタークラブにおいては、クラブヘッド１として第一〜第三実施形態で例示した以外の種々の形状のものを採用できる。一方、気泡式水準器３としては、図２，４，５で例示したような周面一部の平面３ａを設けていない円筒状のものであっても、クラブヘッド１側の取付部の構造や水準器保持枠により、水平状態で気泡Ｂが長手方向中央の水平基準位置に来るように取付姿勢を設定できる。また、気泡式水準器３は、筒状のものの他、全方位計測用として中心部が最も高位になった円盤状のものも使用可能である。
【図面の簡単な説明】
【００２９】
【図１】本発明の第一実施形態に係るゴルフ用パタークラブのクラブヘッド側の斜視図である。
【図２】同クラブヘッドへの水準器の装着操作を示す斜視図である。
【図３】同クラブヘッドの水準器非装着状態における縦断正面図である。
【図４】同クラブヘッドの水準器装着状態における縦断正面図である。
【図５】本発明の第二実施形態に係るゴルフ用パタークラブにおけるクラブヘッドの水準器非装着状態における縦断正面図である。
【図６】本発明の第三実施形態に係るゴルフ用パタークラブにおけるクラブヘッドへの水準器の装着操作を示す斜視図である。
【図７】同パタークラブにおけるクラブヘッドの水準器装着状態の斜視図である。
【符号の説明】
【００３０】
１          クラブヘッド
１ａ        打面
１ｂ        底面
１１        水準器嵌装部
１２        係止部
２          シャフト
３          気泡式水準器
４          圧縮コイルスプリング
５          突子
７          ロックボルト
８          水準器保持枠
Ｂ          気泡
Ｃ１〜Ｃ３  ゴルフ用パタークラブ
【図１】
2008173377.tif 000003
【図２】
2008173377.tif 000004
【図３】
2008173377.tif 000005
【図４】
2008173377.tif 000006
【図５】
2008173377.tif 000007
【図６】
2008173377.tif 000008
【図７】
2008173377.tif 000009